(57)【要約】【課題】後から引き戸用ガイドレール１４を天板３の前端面３ｃ及び底板４の前端面４ｃに取り付ける場合においても、引き戸用ガイドレール１４の左右端部に引き戸用ガイドレール１４の左右端面を隠蔽するためのエンドキャップを取り付けなくてもよいようにする。【解決手段】引き戸用ガイドレール１４の左右端面を左右の側板５の前方突出部７（長さが「Ｌ」）により隠蔽することが出来るので、引き戸用ガイドレール１４の左右端面を隠蔽するためのエンドキャップを別個に必要としない。【選択図】  図３
2004242815.tif 000002
【特許請求の範囲】
【請求項１】
左右の側板と、左右の側板の上部に渡し止められた天板と、左右の側板の下部に渡し止められた底板とを有し、前部に出し入れ口を有しており、前記天板の前端面と底板の前端面とが同一仮想垂直面内に位置するようになされた収納庫であって、前記左右の側板の前部に前方突出部が連設され、これら前方突出部の突出長さが、天板の前端面及び底板の前端面各々に取り付けられる引き戸用ガイドレールの前後長さ以上となされ、また、前方突出部の下端面が底板の下面と面一又は底板の下面より下方に位置するようになされると共に前方突出部の上端面が天板の上面と面一又は天板の上面より上方に位置するようになされている収納庫。
【請求項２】
左右の側板と、左右の側板の上部に渡し止められた天板と、左右の側板の下部に渡し止められた底板とを有し、前部に出し入れ口を有しており、前記天板の前端面と底板の前端面とが同一仮想垂直面内に位置するようになされた収納庫であって、前記天板の前端面及び底板の前端面各々に、引き戸が左右動自在に案内された引き戸用ガイドレールが取り付けられ、前記左右の側板の前部に前方突出部が連設され、これら前方突出部の突出長さが引き戸用ガイドレールの前後長さ以上となされ、また、前方突出部の下端面が底板の下面と面一又は底板の下面より下方に位置するようになされると共に前方突出部の上端面が天板の上面と面一又は天板の上面より上方に位置するようになされている収納庫。
【発明の詳細な説明】
【０００１】
【発明の属する技術分野】
本発明は収納庫に関する。
【０００２】
【従来の技術】
従来、この種の収納庫として以下の如きものは知られている。
左右の側板と、左右の側板の上部に渡し止められた天板と、左右の側板の下部に渡し止められた底板とを有し、前部に出し入れ口を有しており、前記天板の前端面、底板の前端面及び左右の側板の前端面が同一仮想垂直面内に位置するようになされたものは知られている（実開平６−１５５３７号公報参照）。
【０００３】
【従来技術の欠点】
前記従来の収納庫には以下の如き欠点があった。
建物の所定位置に設置（配置）した後において、収納庫の出し入れ口に引き戸を取り付けるために、引き戸が左右動自在に案内された引き戸用ガイドレールを天板の前端面及び底板の前端面に取り付けると、天板の前端面、底板の前端面及び左右の側板の前端面が同一仮想垂直面内に位置するようになされたものであるため、引き戸用ガイドレールの左右端面が収納庫の左右部に露出し、意匠的にも問題があり、また、引き戸用ガイドレールが金属製押出型材であることが一般的であることから危険でもあるので、引き戸用ガイドレールの左右端面を隠蔽するためのエンドキャップを引き戸用ガイドレールに取り付けなければならないという欠点があった。
【０００４】
【前記欠点を解消するための手段】
本発明は前記欠点を解消するために以下の如き手段を採用した。
▲１▼請求項１の発明は、左右の側板と、左右の側板の上部に渡し止められた天板と、左右の側板の下部に渡し止められた底板とを有し、前部に出し入れ口を有しており、前記天板の前端面と底板の前端面とが同一仮想垂直面内に位置するようになされた収納庫であって、前記左右の側板の前部に前方突出部が連設され、これら前方突出部の突出長さが、天板の前端面及び底板の前端面各々に取り付けられる引き戸用ガイドレールの前後長さ以上となされ、また、前方突出部の下端面が底板の下面と面一又は底板の下面より下方に位置するようになされると共に前方突出部の上端面が天板の上面と面一又は天板の上面より上方に位置するようになされているものである。
▲２▼請求項２の発明は、請求項１の発明の利用発明であって、左右の側板と、左右の側板の上部に渡し止められた天板と、左右の側板の下部に渡し止められた底板とを有し、前部に出し入れ口を有しており、前記天板の前端面と底板の前端面とが同一仮想垂直面内に位置するようになされた収納庫であって、前記天板の前端面及び底板の前端面各々に、引き戸が左右動自在に案内された引き戸用ガイドレールが取り付けられ、前記左右の側板の前部に前方突出部が連設され、これら前方突出部の突出長さが引き戸用ガイドレールの前後長さ以上となされ、また、前方突出部の下端面が底板の下面と面一又は底板の下面より下方に位置するようになされると共に前方突出部の上端面が天板の上面と面一又は天板の上面より上方に位置するようになされているものである。
【０００５】
【発明の効果】
本発明は前記した如き構成によって以下の如き効果を奏する。
▲１▼請求項１の発明によれば、後から引き戸用ガイドレール（引き戸）を取り付ける場合においても、引き戸用ガイドレールの左右端面を左右の側板の前方突出部により隠蔽することが出来るので、引き戸用ガイドレールの左右端面を隠蔽するためのエンドキャップを別個に必要としない。
▲２▼請求項２の発明によれば、引き戸用ガイドレールの左右端面を左右の側板の前方突出部により隠蔽することが出来るので、引き戸用ガイドレールの左右端面を隠蔽するためのエンドキャップを別個に必要としない。
【０００６】
【発明の実施の形態】
以下に本発明の実施の形態を説明する。
なお、この説明において、前とは図１紙面表側を、後とは同裏側をいい、左とは図１左側を、右とは同図右側をいう。
【０００７】
収納庫１は、左右幅が２４０ｃｍ前後で、高さが８４ｃｍ前後で、前後長さが２０〜３０ｃｍ前後である。
【０００８】
収納庫１は、天板３と、底板４と、天板３の左端面３ａと底板４の左端面４ａとに渡し止められた左の側板５と、天板３の右端面３ａと底板４の右端面４ａとに渡し止められた右の側板５と、天板３、底板４、左右の側板５の後部に取り付けられた背板６とを有すると共に前部に出し入れ口８を有している。
【０００９】
前記左右の側板５の下端面５ａが底板４の下面４ｂと面一となされ、左右の側板５の上端面５ｂが天板３の上面３ｂと面一となされている。また、天板３の前端面３ｃと底板４の前端面４ｃとが同一仮想垂直面内に位置するようになされている。
【００１０】
前記収納庫１の物品収納空間９は、左右の仕切板１０により３つに分割され、物品収納空間９には所要段の棚板１１が設けられている。前記仕切板１０の前端面は、天板３の前端面３ｃ及び底板４の前端面４ｃを含む仮想垂直面内に位置している。
【００１１】
前記左右の側板５の前部に前方突出部７が連設されている。これら前方突出部７は天板３の前端面３ｃ及び底板４の前端面４ｃより所定長さ「Ｌ」だけ突出させられている。また、前方突出部７の下端面７ａが底板４の下面４ｂと面一又は底板４の下面４ｂより下方に位置するようになされると共に前方突出部７の上端面７ｂが天板３の上面３ｂと面一又は天板３の上面３ｂより上方に位置するようになされている。
【００１２】
前記天板３の前端面３ｃ及び底板４の前端面４ｃの各々に、２枚の引き戸１３が左右動自在に案内された引き戸用ガイドレール１４が取り付けられている。引き戸用ガイドレール１４の左右長さは「Ｍ」で、前後長さが「Ｎ」である。前記左右の側板５の前方突出部７の突出長さ「Ｌ」が引き戸用ガイドレール１４の前後長さ「Ｎ」以上となされている。このような構成により、引き戸用ガイドレール１４の左右端面を左右の側板５の前方突出部７により隠蔽することが出来る。なお、図示は省略しているが、底板４の前端面４ｃには、図２で示す引き戸用ガイドレール１４を上下逆転させた状態で、引き戸用ガイドレール１４が取り付けられている。
【００１３】
前記引き戸用ガイドレール１４の案内溝１５に、引き戸１３の上下部に設けられた、左右一対の車輪ユニット１８の車輪２０が回転自在に案内されている。前記車輪ユニット１８のブラケット１９は図４に示すように傾斜長孔２１を通じてねじ２２を引き戸１３にねじ嵌めることにより引き戸１３に取り付けられている。
【００１４】
前記左側の引き戸１３が、左側の物品収納空間９を完全に閉じた状態（図１の状態）となった際、図３に示すごとく、引き戸１３の左端部は、長さ「Ｓ」だけ側板５の前方突出部７の前方に位置するようになされている。また、図３に示すごとく、引き戸１３の後面と側板５の前方突出部７の前端面との間隙「Ｔ」は、収納庫１内へのほこりの侵入を防ぐことが出来るように３ｍｍ以内となされている。そして、その状態で、左側の引き戸１３の左側の車輪２０がストッパー２４に当たるようになされている。右側の物品収納空間９を完全に閉じた状態の右側の引き戸１３は、左右方向中央に鏡面を左側に向けるようにして置いた鏡で左側の引き戸１３を映したときに表われる像と同一の状態となるようになされている。
【００１５】
前記引き戸１３の左右幅を「Ｐ」、仕切板１０の左右厚さを「Ｑ」とすれば、中央の物品収納空間９の左右長さは「Ｐ−Ｑ」となされている。
【００１６】
【変形例等】
以下に変形例等について説明を加える。
（１）前記実施の形態において、引き戸用ガイドレール１４及び引き戸１３を取り付ける前の状態が、請求項１の発明の、実施の形態である。
（２）左右の側板５の下端面５ａが底板４の下面４ｂより下方に位置するようにしてもよい。また、左右の側板５の上端面５ｂが天板３の上面３ｂより上方に位置するようにしてもよい。
（３）引き戸用ガイドレール１４は、引き戸１３を前後に重ねることが出来る、前後２本の案内溝１５を有するものであってもよい。
（４）背板６はない場合もある。
【図面の簡単な説明】
【図１】本発明の実施の形態を示す正面図である。
【図２】図１のＩＩ−ＩＩ線拡大断面図である。
【図３】図１のＩＩＩ−ＩＩＩ線拡大断面図である。
【図４】図３のＩＶ−ＩＶ線断面図である。
【符号の説明】
１  収納庫
３  天板
３ａ  左右端面
３ｂ  上面
３ｃ  前端面
４  底板
４ａ  左右端面
４ｂ  下面
４ｃ  前端面
５  側板
５ａ  下端面
５ｂ  上端面
７  前方突出部
７ａ  下端面
７ｂ  上端面
８  出し入れ口
１３  引き戸
１４  引き戸用ガイドレール
【図１】
2004242815.tif 000003
【図２】
2004242815.tif 000004
【図３】
2004242815.tif 000005
【図４】
2004242815.tif 000006